(57)【要約】【課題】設置場所の近い表示装置が選択されやすくする。【解決手段】表示装置は、表示部と、第１表示装置の設置場所に対応する第１情報と第２表示装置の設置場所に対応する第２情報と表示装置の設置場所に対応する第３情報とを受け取る受取部と、第１情報に対応する第１表示装置の設置場所が、第２情報に対応する第２表示装置の設置場所より第３情報に対応する表示装置の設置場所に近い場合には、第２表示装置より第１表示装置を優先して表す画像を表示部に表示させる制御部と、を含む。【選択図】図２
2018036292.tif 000002
【特許請求の範囲】
【請求項１】
表示装置であって、
表示部と、
第１表示装置の設置場所に対応する第１情報と、第２表示装置の設置場所に対応する第２情報と、前記表示装置の設置場所に対応する第３情報と、を受け取る受取部と、
前記第１情報に対応する前記第１表示装置の設置場所が、前記第２情報に対応する前記第２表示装置の設置場所より前記第３情報に対応する前記表示装置の設置場所に近い場合には、前記第２表示装置より前記第１表示装置を優先して表す画像を前記表示部に表示させる制御部と、を含むことを特徴とする表示装置。
【請求項２】
前記第１情報を前記第１表示装置から受信し、前記第２情報を前記第２表示装置から受信する通信部と、
前記第３情報を記憶する記憶部と、を含み、
前記受取部は、前記第１情報および前記第２情報を前記通信部から受け取り、前記第３情報を前記記憶部から受け取ることを特徴とする請求項１に記載の表示装置。
【請求項３】
前記通信部は、他の表示装置からの情報要求に応じて、前記第３情報を前記他の表示装置に送信することを特徴とする請求項２に記載の表示装置。
【請求項４】
前記制御部は、前記第１表示装置の設置場所が前記表示装置の設置場所と同一であり前記第２表示装置の設置場所が前記表示装置の設置場所と異なる場合、前記画像として、前記第２表示装置を表すことなく前記第１表示装置を表す第１画像を前記表示部に表示させることを特徴とする請求項１から３のいずれか１項に記載の表示装置。
【請求項５】
前記制御部は、前記画像として、前記第１表示装置と前記第２表示装置とを前記表示装置の設置位置に近い順にソートした第２画像を前記表示部に表示させることを特徴とする請求項１から３のいずれか１項に記載の表示装置。
【請求項６】
制御装置であって、
第１表示装置の設置場所に対応する第１情報と、第２表示装置の設置場所に対応する第２情報と、前記制御装置の設置場所に対応する第３情報と、を受け取る受取部と、
前記第１情報に対応する前記第１表示装置の設置場所が、前記第２情報に対応する前記第２表示装置の設置場所より前記第３情報に対応する前記制御装置の設置場所に近い場合には、前記第２表示装置より前記第１表示装置を優先して表す画像を表示部に表示させる制御部と、を含むことを特徴とする制御装置。
【請求項７】
表示装置が行う表示方法であって、
第１表示装置の設置場所に対応する第１情報と、第２表示装置の設置場所に対応する第２情報と、前記表示装置の設置場所に対応する第３情報と、を受け取り、
前記第１情報に対応する前記第１表示装置の設置場所が、前記第２情報に対応する前記第２表示装置の設置場所より前記第３情報に対応する前記表示装置の設置場所に近い場合には、前記第２表示装置より前記第１表示装置を優先して表す画像を表示することを特徴とする表示方法。
【請求項８】
制御装置が行う表示方法であって、
第１表示装置の設置場所に対応する第１情報と、第２表示装置の設置場所に対応する第２情報と、前記制御装置の設置場所に対応する第３情報と、を受け取り、
前記第１情報に対応する前記第１表示装置の設置場所が、前記第２情報に対応する前記第２表示装置の設置場所より前記第３情報に対応する前記制御装置の設置場所に近い場合には、前記第２表示装置より前記第１表示装置を優先して表す画像を、表示部に表示させることを特徴とする表示方法。
【請求項９】
コンピュータに、
第１表示装置の設置場所に対応する第１情報と、第２表示装置の設置場所に対応する第２情報と、前記コンピュータの設置場所に対応する第３情報と、を受け取る受取手順と、
前記第１情報に対応する前記第１表示装置の設置場所が、前記第２情報に対応する前記第２表示装置の設置場所より前記第３情報に対応する前記コンピュータの設置場所に近い場合には、前記第２表示装置より前記第１表示装置を優先して表す画像を、表示部に表示させる表示手順と、
を実行させるためのプログラム。
【発明の詳細な説明】
【技術分野】
【０００１】
本発明は、表示装置に関する画像を表示する技術に関する。
【背景技術】
【０００２】
特許文献１には、使用可能なプロジェクターのＩＰアドレスおよびプロジェクター名を示したリストを表示し、このリストから使用するプロジェクターを選択可能なプロジェクターの選択システムが記載されている。
【先行技術文献】
【特許文献】
【０００３】
【特許文献１】特開２００７−４３７２５号公報
【発明の概要】
【発明が解決しようとする課題】
【０００４】
複数の表示装置（例えば、複数のプロジェクター）を使用して画像を表示する場合、設置場所が近い表示装置同士（例えば、同じ会議室に設置された表示装置同士）を使用することが多い。
【０００５】
特許文献１に記載のリストは、単に、使用可能なプロジェクターのＩＰアドレスおよびプロジェクター名を示したリストであるため、設置場所が近いプロジェクター（表示装置）を選択し難いという問題があった。この問題は、表示装置がプロジェクターである場合に限らず、表示装置がプロジェクター以外の表示装置である場合にも生じる。
【０００６】
本発明は上述した事情に鑑みてなされたものであり、設置場所の近い表示装置が選択されやすくすることを解決課題とする。
【課題を解決するための手段】
【０００７】
本発明の表示装置の一態様は、表示装置であって、表示部と、第１表示装置の設置場所に対応する第１情報と、第２表示装置の設置場所に対応する第２情報と、前記表示装置の設置場所に対応する第３情報と、を受け取る受取部と、前記第１情報に対応する前記第１表示装置の設置場所が、前記第２情報に対応する前記第２表示装置の設置場所より前記第３情報に対応する前記表示装置の設置場所に近い場合には、前記第２表示装置より前記第１表示装置を優先して表す画像を前記表示部に表示させる制御部と、を含むことを特徴とする。
この態様によれば、第２表示装置よりも設置場所が表示装置に近い第１表示装置が、第２表示装置より優先して表示される。このため、設置場所が表示装置に近い第１表示装置が選択されやすくなる。
【０００８】
上述した表示装置の一態様において、前記第１情報を前記第１表示装置から受信し、前記第２情報を前記第２表示装置から受信する通信部と、前記第３情報を記憶する記憶部と、を含み、前記制御部は、前記第１情報および前記第２情報を前記通信部から受け取り、前記第３情報を前記記憶部から受け取ることが望ましい。
この態様によれば、他の表示装置の設置場所に関する情報を当該他の表示装置から受け取ることが可能になる。このため、個々の表示装置が、他の表示装置の設置場所に関する情報を予め記憶しておく必要がなくなる。
【０００９】
上述した表示装置の一態様として、前記通信部は、他の表示装置からの情報要求に応じて、前記第３情報を前記他の表示装置に送信することが望ましい。
この態様によれば、他の表示装置からの要求に応じて、他の表示装置に第３情報を送信できる。このため、第３情報を必要とする他の表示装置に第３情報を提供することが可能になる。
【００１０】
上述した表示装置の一態様として、前記制御部は、前記第１表示装置の設置場所が前記表示装置の設置場所と同一であり前記第２表示装置の設置場所が前記表示装置の設置場所と異なる場合、前記画像として、前記第２表示装置を表すことなく前記第１表示装置を表す第１画像を前記表示部に表示させることが望ましい。
この態様によれば、表示装置と設置場所が共通する第１表示装置が選択されやすくなる。
【００１１】
上述した表示装置の一態様として、前記制御部は、前記画像として、前記第１表示装置と前記第２表示装置とを前記表示装置の設置位置に近い順にソートした第２画像を前記表示部に表示させることが望ましい。
この態様によれば、例えば、設置場所に基づく選択が容易になる。
【００１２】
本発明の制御装置の一態様は、制御装置であって、第１表示装置の設置場所に対応する第１情報と、第２表示装置の設置場所に対応する第２情報と、前記制御装置の設置場所に対応する第３情報と、を受け取る受取部と、前記第１情報に対応する前記第１表示装置の設置場所が、前記第２情報に対応する前記第２表示装置の設置場所より前記第３情報に対応する前記制御装置の設置場所に近い場合には、前記第２表示装置より前記第１表示装置を優先して表す画像を表示部に表示させる制御部と、を含むことを特徴とする。
この態様によれば、設置場所が制御装置に近い第１表示装置が選択されやすくなる。
【００１３】
本発明の表示方法の一態様は、表示装置が行う表示方法であって、第１表示装置の設置場所に対応する第１情報と、第２表示装置の設置場所に対応する第２情報と、前記表示装置の設置場所に対応する第３情報と、を受け取り、前記第１情報に対応する前記第１表示装置の設置場所が、前記第２情報に対応する前記第２表示装置の設置場所より前記第３情報に対応する前記表示装置の設置場所に近い場合には、前記第２表示装置より前記第１表示装置を優先して表す画像を表示することを特徴とする。
この態様によれば、設置場所が表示装置に近い第１表示装置が選択されやすくなる。
【００１４】
本発明の表示方法の他の一態様は、制御装置が行う表示方法であって、第１表示装置の設置場所に対応する第１情報と、第２表示装置の設置場所に対応する第２情報と、前記制御装置の設置場所に対応する第３情報と、を受け取り、前記第１情報に対応する前記第１表示装置の設置場所が、前記第２情報に対応する前記第２表示装置の設置場所より前記第３情報に対応する前記制御装置の設置場所に近い場合には、前記第２表示装置より前記第１表示装置を優先して表す画像を、表示部に表示させることを特徴とする。
この態様によれば、設置場所が制御装置に近い第１表示装置が選択されやすくなる。
【００１５】
本発明のプログラムの一態様は、コンピュータに、第１表示装置の設置場所に対応する第１情報と、第２表示装置の設置場所に対応する第２情報と、前記コンピュータの設置場所に対応する第３情報と、を受け取る受取手順と、前記第１情報に対応する前記第１表示装置の設置場所が、前記第２情報に対応する前記第２表示装置の設置場所より前記第３情報に対応する前記コンピュータの設置場所に近い場合には、前記第２表示装置より前記第１表示装置を優先して表す画像を、表示部に表示させる表示手順と、を実行させる。
この態様によれば、設置場所がコンピュータに近い第１表示装置が選択されやすくなる。
【図面の簡単な説明】
【００１６】
【図１】本実施形態に係るプロジェクター３を含む表示システム１０を示した図である。
【図２】プロジェクター３の構成例を示した図である。
【図３】プロジェクター３の動作を説明するためのフローチャートである。
【図４】選択画像Ｍ１の一例を示した図である。
【図５】第２実施形態に係るプロジェクター３Ａを示した図である。
【図６】プロジェクター３Ａの動作を説明するためのフローチャートである。
【図７】選択画像Ｍ２の一例を示した図である。
【図８】第３実施形態に係る制御装置７を示した図である。
【発明を実施するための形態】
【００１７】
以下、図面を参照しながら本発明に係る実施の形態を説明する。なお、図面において各部の寸法や縮尺は実際のものと適宜異なる。また、以下に記載する実施の形態は、本発明の好適な具体例である。このため、本実施形態には、技術的に好ましい種々の限定が付されている。しかしながら、本発明の範囲は、以下の説明において特に本発明を限定する旨の記載がない限り、これらの形態に限られるものではない。
【００１８】
＜第１実施形態＞
図１は、本実施形態に係るプロジェクター３を含む表示システム１０の全体的な構成を示した図である。プロジェクターは、表示装置の一例である。
【００１９】
表示システム１０は、プロジェクター１〜６を有する。プロジェクター１〜６は、ネットワーク１００に接続され、相互に通信可能である。プロジェクター１〜３は会議室Ａ（Room.A）に設置され、プロジェクター４〜５は会議室Ｂ（Room.B）に設置され、プロジェクター６は会議室Ｃ（Room.C）に設置されているとする。プロジェクター１および２は、第１表示装置の一例である。プロジェクター４〜６は、第２表示装置の一例である。
【００２０】
プロジェクター１には、プロジェクター１に関するプロジェクター情報（名称、型番、ＩＰアドレス、および設置場所情報）が記憶されている。具体的には、プロジェクター１には、名称として「ＰＪ＿１」が記憶され、型番（ＩＤ）として「ＸＸＸＸＸ」が記憶され、ＩＰアドレスとして「１９２.１６８.１００.ＸＸ１」が記憶され、設置場所情報として「Ｒｏｏｍ.Ａ」（会議室Ａ）が記憶されている。プロジェクター１の設置場所情報は、プロジェクター１の設置場所に対応する第１情報の一例である。
【００２１】
プロジェクター２には、プロジェクター２に関するプロジェクター情報（名称、型番、ＩＰアドレス、および設置場所情報）が記憶されている。具体的には、プロジェクター２には、名称として「ＰＪ＿２」が記憶され、型番（ＩＤ）として「ＸＸＸＸＸ」が記憶され、ＩＰアドレスとして「１９２.１６８.１００.ＸＸ２」が記憶され、設置場所情報として「Ｒｏｏｍ.Ａ」（会議室Ａ）が記憶されている。プロジェクター２の設置場所情報は、プロジェクター２の設置場所に対応する第１情報の一例である。
【００２２】
プロジェクター３には、プロジェクター３に関するプロジェクター情報（名称、型番、ＩＰアドレス、および設置場所情報）が記憶されている。具体的には、プロジェクター３には、名称として「ＰＪ＿３」が記憶され、型番（ＩＤ）として「ＸＸＸＸＸ」が記憶され、ＩＰアドレスとして「１９２.１６８.１００.ＸＸ３」が記憶され、設置場所情報として「Ｒｏｏｍ.Ａ」（会議室Ａ）が記憶されている。プロジェクター３の設置場所情報は、プロジェクター３の設置場所に対応する第３情報の一例である。
【００２３】
プロジェクター４には、プロジェクター４に関するプロジェクター情報（名称、型番、ＩＰアドレス、および設置場所情報）が記憶されている。具体的には、プロジェクター４には、名称として「ＰＪ＿４」が記憶され、型番（ＩＤ）として「ＸＸＸＸＸ」が記憶され、ＩＰアドレスとして「１９２.１６８.１００.ＸＸ４」が記憶され、設置場所情報として「Ｒｏｏｍ.Ｂ」（会議室Ｂ）が記憶されている。プロジェクター４の設置場所情報は、プロジェクター４の設置場所に対応する第２情報の一例である。
【００２４】
プロジェクター５には、プロジェクター５に関するプロジェクター情報（名称、型番、ＩＰアドレス、および設置場所情報）が記憶されている。具体的には、プロジェクター５には、名称として「ＰＪ＿５」が記憶され、型番（ＩＤ）として「ＸＸＸＸＸ」が記憶され、ＩＰアドレスとして「１９２.１６８.１００.ＸＸ５」が記憶され、設置場所情報として「Ｒｏｏｍ.Ｂ」（会議室）が記憶されている。プロジェクター５の設置場所情報は、プロジェクター５の設置場所に対応する第２情報の一例である。
【００２５】
プロジェクター６には、プロジェクター６に関するプロジェクター情報（名称、型番、ＩＰアドレス、および設置場所情報）が記憶されている。具体的には、プロジェクター６には、名称として「ＰＪ＿６」が記憶され、型番（ＩＤ）として「ＸＸＸＸＸ」が記憶され、ＩＰアドレスとして「１９２.１６８.１００.ＸＸ６」が記憶され、設置場所情報として「Ｒｏｏｍ.Ｃ」（会議室Ｃ）が記憶されている。プロジェクター６の設置場所情報は、プロジェクター６の設置場所に対応する第２情報の一例である。
【００２６】
プロジェクター１〜６は、共通する構成要素を含んでいる。
図２は、プロジェクター３の構成例を示した図である。プロジェクター１〜２および４〜６も、プロジェクター３と同様な構成を備えているため、これらのプロジェクターを代表して、プロジェクター３の構成について説明する。
【００２７】
プロジェクター３は、操作受付部１１１と、表示部１１２と、通信部１１３と、映像信号処理部１１４と、記憶部１１５と、処理部１１６と、を含んで構成されている。
【００２８】
操作受付部１１１は、プロジェクター３を操作するための複数の操作ボタンを備えている。表示部１１２は、種々の画像を表示する。例えば、表示部１１２は、種々の画像を投射面（不図示）に投射して当該種々の画像を表示する。なお、表示部１１２は投射面を含まない。
【００２９】
通信部１１３は、ネットワーク１００を介して、プロジェクター１〜２および４〜６と通信する。例えば、通信部１１３は、プロジェクター１、２、４、５および６に対して、プロジェクター情報を要求する情報要求を送信する。また、通信部１１３は、情報要求に対する応答（名称、型番、ＩＰアドレス、および設置場所情報を含むプロジェクター情報）を、プロジェクター１、２、４、５および６の各々から受信する。
なお、通信部１１３は、他のプロジェクター（例えば、プロジェクター１、２、４、５、および６のいずれか）から情報要求を受信すると、プロジェクター３に関するプロジェクター情報（プロジェクター３の名称、型番、ＩＰアドレス、および設置場所情報を含む情報）を、情報要求に対する応答として、情報要求の送信元に送信する。
また、通信部１１３は、不図示の映像信号源（例えば、パーソナルコンピュータ）から映像信号を受信する。
【００３０】
映像信号処理部１１４は、通信部１１３が受信した映像信号を表示部１１２での表示に適した信号に変換する処理を実行する。この処理には、例えば、映像信号により表される映像を拡大または縮小することによって映像の解像度を表示部１１２の持つ解像度に合わせるスケーリング処理などが含まれる。
【００３１】
記憶部１１５は、コンピュータにて読み取り可能な記録媒体の一例である。さらに言えば、記憶部１１５は、非一過性（non-transitory）の記録媒体である。記憶部１１５は、例えば、半導体記録媒体、磁気式記録媒体または光学式記録媒体等の公知の任意の形式の記録媒体、または、これらの記録媒体が組み合わされた記録媒体である。なお、本明細書中において、「非一過性」の記録媒体は、一過性の伝搬信号（transitory, propagating signal）を一時的に記憶する伝送線等の記録媒体を除く全てのコンピュータ読み取り可能な記録媒体を含み、揮発性の記録媒体を除外するものではない。
【００３２】
記憶部１１５は、プロジェクター３の動作を規定するプログラム１１５ａと、種々の情報（例えば、プロジェクター３に関するプロジェクター情報）と、を記憶する。プログラム１１５ａは、ネットワーク１００を介した配信の形態で提供され、その後、記憶部１１５にインストールされてもよい。
【００３３】
処理部１１６は、ＣＰＵ（Central Processing Unit）等の処理装置（コンピュータ）である。処理部１１６は、記憶部１１５からプログラム１１５ａを読み取り実行することによって、受取部１１６ａと、制御部１１６ｂと、グループ化部１１６ｃと、を実現する。
【００３４】
受取部１１６ａは、記憶部１１５からプロジェクター３に関するプロジェクター情報を受け取り、通信部１１３から、プロジェクター１、２、４、５および６の各々のプロジェクター情報を受け取る。
【００３５】
制御部１１６ｂは、プロジェクター３を制御する。例えば、制御部１１６ｂは、プロジェクター１〜６の各々のプロジェクター情報（具体的には設置場所情報）を用いて、プロジェクター１〜６の各々の設置位置を特定する。制御部１１６ｂは、プロジェクター１および２の設置場所が、プロジェクター４〜６の設置場所より、プロジェクター３の設置場所に近い場合には、プロジェクター４〜６よりプロジェクター１および２を優先して表す画像（以下「選択画像」とも称する）を表示部１１２に表示させる。なお、選択画像に表示されるプロジェクターは、選択候補のプロジェクターとなる。以下、選択候補のプロジェクターを「候補プロジェクター」とも称する。
【００３６】
例えば、制御部１１６ｂは、設置場所がプロジェクター３と異なるプロジェクター（具体的には、プロジェクター４〜６）を表すことなく、設置場所がプロジェクター３と同じプロジェクター（具体的には、プロジェクター１および２）を表す画像（以下「第１画像」と称する）を、選択画像として表示部１１２に表示させる。
なお、選択画像にはプロジェクター３も表される。
【００３７】
グループ化部１１６ｃは、制御部１１６ｂが表示部１１２に表示したプロジェクター（候補プロジェクター）の中から、ユーザーが操作受付部１１１を用いて選択したプロジェクターをグループ化する。グループ化は、公知技術であるため詳細な説明を割愛する。
【００３８】
次に、動作を説明する。図３は、プロジェクター３の動作を説明するためのフローチャートである。以下、プロジェクター３を「操作プロジェクター」とも称する。
まず、ユーザーが操作受付部１１１を操作してプロジェクターの検索開始を指示すると、通信部１１３は、ネットワーク１００に接続されているすべてのプロジェクターを検索する（ステップＳ３０１）。
【００３９】
ステップＳ３０１では、以下の処理が実行される。
まず、通信部１１３は、ネットワーク１００に接続されているすべてのプロジェクターのうち操作プロジェクター以外のプロジェクター（以下「チェック対象プロジェクター」とも称する）に情報要求をブロードキャストする。
【００４０】
チェック対象プロジェクター（本例の場合、プロジェクター１、２、４、５および６）の各々の通信部１１３は、プロジェクター３から情報要求を受信すると、自プロジェクターの記憶部１１５に記憶されているプロジェクター情報を、情報要求に対する応答としてプロジェクター３に送信する。以下では、プロジェクター１、２、４、５および６が、情報要求に対する応答をプロジェクター３に送信したとする。
【００４１】
プロジェクター３の通信部１１３は、プロジェクター１、２、４、５および６の応答を受信すると、それらの応答を受取部１１６ａに出力する。受取部１１６ａは、プロジェクター１、２、４、５および６の応答を受け取ると、それらの応答を制御部１１６ｂに出力する。
【００４２】
続いて、受取部１１６ａは、記憶部１１５に対して、プロジェクター３（操作プロジェクター）のプロジェクター情報が格納されている領域のアドレスを送り、記憶部１１５からプロジェクター３のプロジェクター情報を受け取る。続いて、受取部１１６ａは、プロジェクター３のプロジェクター情報を、操作プロジェクターのプロジェクター情報として制御部１１６ｂに出力する。
以上が、ステップＳ３０１で実行される処理である。
【００４３】
制御部１１６ｂは、操作プロジェクターのプロジェクター情報を受け取ると、操作プロジェクターのプロジェクター情報を表す選択画像を生成する（ステップＳ３０２）。制御部１１６ｂは、選択画像において、操作プロジェクターのプロジェクター情報に対して、操作プロジェクターを意味する識別情報（例えば「Master」という文字）を付加する。
【００４４】
続いて、制御部１１６ｂは、チェック対象プロジェクターについて、１つずつ設置場所のチェックを行う。
まず、制御部１１６ｂは、設置場所のチェックが完了していないチェック対象プロジェクターの中の１つを指定する（ステップＳ３０３）。
【００４５】
続いて、制御部１１６ｂは、ステップＳ３０３で指定したプロジェクター（以下「指定プロジェクター」と称する）の設置場所と操作プロジェクターの設置場所が同じであるか否かを判断する（ステップＳ３０４）。具体的には、ステップＳ３０４では、制御部１１６ｂは、指定プロジェクターの設置場所情報と操作プロジェクターの設置場所情報が同じであるか否かを判断する。
【００４６】
指定プロジェクターの設置場所情報と操作プロジェクターの設置場所情報が同じである場合（ステップＳ３０４：ＹＥＳ）、制御部１１６ｂは、指定プロジェクターのプロジェクター情報を選択画像に追加する（ステップＳ３０５）。その後、制御部１１６ｂは、ステップＳ３０７を実行する。一方、指定プロジェクターの設置場所情報と操作プロジェクターの設置場所情報が異なる場合（ステップＳ３０４：ＮＯ）、制御部１１６ｂは、指定プロジェクターのプロジェクター情報を選択画像に追加することなく（ステップＳ３０６）、ステップＳ３０７を実行する。
このため、選択画像には、操作プロジェクターと、設置場所が操作プロジェクターと同じであるプロジェクターとが表される。
【００４７】
ステップＳ３０７では、制御部１１６ｂは、ステップＳ３０３で指定した指定プロジェクターの設置場所チェックを完了する。
【００４８】
続いて、制御部１１６ｂは、すべてのチェック対象プロジェクターの設置場所チェックが完了したか否かを判断する（ステップＳ３０８）。
すべてのチェック対象プロジェクターの設置場所チェックが完了していない場合（ステップＳ３０８でＮＯ）、制御部１１６ｂは、処理をステップＳ３０３に戻し、新たにチェック対象プロジェクターを指定する。
一方、すべてのチェック対象プロジェクターの設置場所チェックが完了した場合（ステップＳ３０８でＹＥＳ）、制御部１１６ｂは、選択画像を表示部１１２に表示させ（ステップＳ３０９）、その後、処理を終了する。
【００４９】
図４は、選択画像Ｍ１の一例を示した図である。
図４に示した例では、操作プロジェクターであるプロジェクター３のプロジェクター情報には、「Master」という文字の識別情報が付加され、操作プロジェクターのプロジェクター情報の他に、操作プロジェクターと設置場所（Ｒｏｏｍ.Ａ：会議室Ａ）が同じであるプロジェクター１および２の各々のプロジェクター情報が表示される。
【００５０】
ユーザーは、選択画像Ｍ１を用いて、グループ化するプロジェクターを選択する。本実施形態では、選択画像Ｍ１には、操作プロジェクターと設置場所が同じであるプロジェクターしか表されていないので、ユーザーは、操作プロジェクターと設置場所が同じであるプロジェクターを容易に選択することが可能になる。
【００５１】
＜第２実施形態＞
第１実施形態では、選択画像Ｍ１には、操作プロジェクターと設置場所が同じであるチェック対象プロジェクターしか表されていない。これに対して、本発明の第２実施形態では、操作プロジェクターと設置場所が同じであるチェック対象プロジェクター（第１表示装置）と、操作プロジェクターと設置場所が異なるチェック対象プロジェクター（第２表示装置）が、操作プロジェクターの設置位置に近い順にソートされた第２画像が選択画像として表示される。
【００５２】
図５は、第２実施形態に係るプロジェクター３Ａを示した図である。図５において、図２に示したものと同一構成のものには同一符号を付してある。図５に示したプロジェクター３Ａは、図１に示したプロジェクター１〜６のいずれとも交換可能である。
第２実施形態に係るプロジェクター３Ａは、記憶部１１５がプログラム１１５ａの代わりにプログラム１１５ａ１を記憶する点と、処理部１１６がプログラム１１５ａ１を読み取り実行することによって受取部１１６ａと制御部１１６ｂ１とグループ化部１１６ｃとを実現する点において、第１実施形態のプロジェクター３と異なる。ここで、処理部１１６について言及すると、処理部１１６は、制御部１１６ｂの代わりに制御部１１６ｂ１を含んでいる。以下、第２実施形態について、第１実施形態と異なる点を中心に説明する。
制御部１１６ｂ１は、第１画像の代わりに第２画像を選択画像として表示部１１２に表示させる点において制御部１１６ｂ１と異なる。
【００５３】
次に、動作を説明する。図６は、プロジェクター３Ａの動作を説明するためのフローチャートである。図６において、図３に示した処理と同一の処理には同一符号を付してある。
以下、プロジェクター３Ａが図１に示したプロジェクター３の代わりに用いられた状況におけるプロジェクター３Ａの動作について、図３に示した処理と異なる点を中心に説明する。
【００５４】
制御部１１６ｂ１は、ステップＳ３０３の後にステップＳ３０５を実行し、ステップＳ３０５の後にステップＳ３０７を実行する。
そして、制御部１１６ｂ１は、すべてのチェック対象プロジェクターの設置場所チェックが完了した場合（ステップＳ３０８でＹＥＳ）、選択画像において、チェック対象プロジェクターを操作プロジェクターの設置位置に近い順にソートする（ステップＳ６０１）。
【００５５】
なお、会議室Ｂと会議室Ａとの間の距離が、会議室Ｃと会議室Ａとの間の距離より長いか否かは不明である。このため、制御部１１６ｂ１は、設置場所が会議室Ｂであるプロジェクター４および５と、設置場所が会議室Ｃであるプロジェクター６については、設置場所が会議室Ａの異なる同じ場所であるとみなしてソートを実行する。
【００５６】
ステップＳ６０１では、例えば、以下の処理が実行される。
制御部１１６ｂ１は、まず、設置位置が操作プロジェクターと同一であるチェック対象プロジェクターと、操作対象プロジェクターとを選択し、選択したプロジェクターを選択画像の先頭に表示する。この際、選択したプロジェクターの数が２以上である場合、制御部１１６ｂ１は、それらのプロジェクターをプロジェクターの名称でソートする。
続いて、制御部１１６ｂ１は、残りのチェック対象プロジェクターを、先に選択したプロジェクターの後に続けて選択画像に表示する。この際、残りのチェック対象プロジェクターの数が２以上である場合、制御部１１６ｂ１は、それらのプロジェクターをプロジェクターの設置場所でソートする。この際、残りのチェック対象プロジェクターの中に設置場所が同じチェック対象プロジェクターが存在する場合、制御部１１６ｂ１は、それらのプロジェクターをプロジェクターの名称でソートする。
以上が、ステップＳ６０１で実行される処理である。
ステップＳ６０１が完了すると、ステップＳ３０９が実行される。
【００５７】
図７は、第２実施形態で生成された選択画像Ｍ２の一例を示した図である。
図７に示した例では、操作プロジェクターであるプロジェクター３のプロジェクター情報には、「Master」という文字の識別情報が付加され、操作プロジェクターのプロジェクター情報と、すべてのチェック対象プロジェクター（プロジェクター１、２、４、５および６）のプロジェクター情報が表示されている。
【００５８】
ユーザーは、選択画像Ｍ２を用いて、グループ化するプロジェクターを選択する。このため、本実施形態によれば、設置場所に基づく選択が容易になる。
【００５９】
＜第３実施形態＞
プロジェクターを選択（グループ化）する状況としては、例えば、映像信号の供給源となる制御装置（例えばパーソナルコンピュータ）が会議室に持ち込まれ、その会議室に存在するプロジェクターが選択される状況も考えられる。本発明の第３実施形態では、パーソナルコンピュータのような制御装置が選択画面を生成する。
【００６０】
図８は、第３実施形態に係る制御装置７を示した図である。図８において、図２に示したものと同一構成のものには同一符号を付してある。以下、制御装置７について、図２に示したプロジェクター３と異なる点を中心に説明する。
【００６１】
制御装置７は、例えば、映像信号の供給源となるパーソナルコンピュータである。制御装置７は、移動可能であり、移動先で図１に示したネットワーク１００に接続される。
【００６２】
ユーザーは、制御装置７の操作受付部１１１を操作して、制御装置７の移動先（設置場所）を示す設置場所情報を制御装置７に入力する。操作受付部１１１を介して入力された設置場所情報は、記憶部１１５に記憶される。例えば、制御装置７が会議室Ａに設置された場合、設置場所情報として「Ｒｏｏｍ.Ａ」（会議室Ａ）が記憶される。
その後、ユーザーが操作受付部１１１を操作してプロジェクターの検索開始を指示すると、図３に準じた動作が実行される。具体的には、図３を用いた動作説明において、「プロジェクター３」が「制御装置７」に読み替えられ、「操作プロジェクター」が「制御装置７」に読み替えられ、「プロジェクター１、２、４、５および６」が「プロジェクター１〜６」となる。
【００６３】
本実施形態によれば、制御装置７にて選択画像を表示できる。なお、制御装置７において、プログラム１１５ａの代わりにプログラム１１５ａ１が用いられ、制御部１１６ｂの代わりに制御部１１６ｂ１が用いられてもよい。
【００６４】
＜変形例＞
本発明は、上述した各実施形態に限定されるものではなく、例えば、次に述べるような各種の変形が可能である。また、次に述べる変形の態様の中から任意に選択された一または複数の変形を適宜組み合わせることもできる。
【００６５】
＜変形例１＞
選択画像は、選択画像Ｍ１およびＭ２に限らず適宜変更可能である。
例えば、プロジェクター１および２の設置場所がプロジェクター４〜６の設置場所よりプロジェクター３（または制御装置７）の設置場所に近いと判断される場合、プロジェクター４〜６のプロジェクター情報よりプロジェクター１および２のプロジェクター情報を大きいフォントサイズで表示する選択画像が用いられてもよい。
また、プロジェクター１および２の設置場所がプロジェクター４〜６の設置場所よりプロジェクター３（または制御装置７）の設置場所に近いと判断される場合、プロジェクター１および２のプロジェクター情報に対してのみ星印等の推奨マークが付されてもよい。
【００６６】
＜変形例２＞
プロジェクター１〜６のプロジェクター情報を記憶する管理サーバー（不図示）が存在する場合、プロジェクター１〜６および制御装置７は、管理サーバーからプロジェクター１〜６のプロジェクター情報を取得してもよい。
【００６７】
例えば、通信部１１３は、管理サーバーにプロジェクター１〜６のプロジェクター情報を要求し、その要求に応じて管理サーバーから送信されたプロジェクター１〜６のプロジェクター情報を受信する。続いて、通信部１１３は、プロジェクター１〜６のプロジェクター情報を受取部１１６ａに出力する。受取部１１６ａは、通信部１１３からプロジェクター１〜６のプロジェクター情報を受け取ると、プロジェクター１〜６のプロジェクター情報を制御部１１６ｂ（または制御部１１６ｂ１）に出力する。
【００６８】
＜変形例３＞
制御装置７は表示部１１２を含んでいるが、制御装置７は表示部１１２を含まずに表示部１１２と接続されてもよい。
【００６９】
＜変形例４＞
制御装置７は、特定の設置場所に固定されてもよい。
【００７０】
＜変形例５＞
プロジェクター１〜６の設置場所は、会議室Ａ〜Ｃに限らず適宜変更可能である。
【００７１】
＜変形例６＞
プロジェクターの数は６に限らず２以上であればよい。
【００７２】
＜変形例７＞
選択画像に表示されるプロジェクター情報の内容は、名称、型番、ＩＰアドレス、および設置場所情報に限らず、適宜変更可能である。
【００７３】
＜変形例８＞
上述した各実施形態において、グループ化部１１６ｃが省略されてもよい。
【００７４】
＜変形例９＞
上記各実施形態では、表示装置としてプロジェクターが用いられたが、表示装置はプロジェクターに限らず適宜変更可能である。例えば、表示装置は、直視型のディスプレイあってもよい。
【００７５】
＜変形例１０＞
上述した各実施形態において、受取部１１６ａと、制御部１１６ｂおよび１１６ｂ１と、グループ化部１１６ｃの全部または一部は専用の電子回路によって実現されてもよい。
【００７６】
＜変形例１１＞
第２実施形態において、会議室Ｂと会議室Ａとの間の距離が、会議室Ｃと会議室Ａとの間の距離より長いか否かは不明であるため、設置場所が会議室Ｂであるプロジェクター４および５と、設置場所が会議室Ｃであるプロジェクター６については、設置場所が会議室Ａの異なる同じ場所であるとみなしてソートを実行することとした。これに対し、会議室Ａ、会議室Ｂ、会議室Ｃのそれぞれの間の距離、位置関係に関する位置情報を記憶部１１５に記憶されている場合は、会議室Ｂと会議室Ｃを区別してソートしてもよい。このとき、例えば会議室Ｂが、会議室Ｃより会議室Ａに近い場合には、選択画面Ｍ２では、設置場所が会議室Ｃであるプロジェクター６よりも設置場所が会議室Ｂであるプロジェクター４および５を優先して表示（プロジェクター６よりプロジェクター４及び５が上方にくるように表示）してもよい。なお、位置情報は、外部の記憶装置（図示せず）からネットワーク１００を介して取得するようにしてもよい。
【符号の説明】
【００７７】
３…プロジェクター、１１１…操作受付部、１１２…表示部、１１３…通信部、１１４…映像信号処置部、１１５…記憶部、１１６…処理部、１１６ａ…受取部、１１６ｂ…制御部、１１６ｃ…グループ化部。
【図１】
2018036292.tif 000003
【図２】
2018036292.tif 000004
【図３】
2018036292.tif 000005
【図４】
2018036292.tif 000006
【図５】
2018036292.tif 000007
【図６】
2018036292.tif 000008
【図７】
2018036292.tif 000009
【図８】
2018036292.tif 000010